(57)【要約】【課題】揮発を考慮した生産管理の技術を提供する。【解決手段】  生産管理装置であって、原料について揮発の程度が対応付けられた揮発情報と、製品を製造するのに必要な原料と当該原料の使用量とが対応づけられた原料情報と、を格納する記憶部と、製造する製品および当該製品の製造数量の指定入力を受け付ける入力受付部と、製造する製品の原料が原料情報に応じて特定されると、特定された原料の揮発の程度を前揮発情報を用いて特定する揮発特定部と、原料と、原料の使用量と、揮発の程度と、を用いて原料ごとの所要量を特定する所要量算出部と、所要量が所定の在庫量を上回る原料について原料を手配する手配量を特定する手配量算出部と、を備えることを特徴とする。【選択図】図１
2015052869.tif 000002
【特許請求の範囲】
【請求項１】
原料について揮発の程度が対応付けられた揮発情報と、製品を製造するのに必要な原料と当該原料の使用量とが対応づけられた原料情報と、を格納する記憶部と、
製造する製品および当該製品の製造数量の指定入力を受け付ける入力受付部と、
前記製造する製品の原料が前記原料情報に応じて特定されると、前記特定された原料の揮発の程度を前記揮発情報を用いて特定する揮発特定部と、
前記原料と、前記原料の使用量と、前記揮発の程度と、を用いて前記原料ごとの所要量を特定する所要量算出部と、
前記所要量が所定の在庫量を上回る原料について前記原料を手配する手配量を特定する手配量算出部と、
を備えることを特徴とする生産管理装置。
【請求項２】
請求項１に記載の生産管理装置であって、
前記原料情報には、前記原料の液体の種類を特定する情報が含まれ、
前記揮発情報には、前記液体の種類に応じた揮発の程度が対応付けられており、
前記揮発特定部は、前記特定された原料の液体の種類に応じ、前記揮発の程度を特定する、
をことを特徴とする生産管理装置。
【請求項３】
請求項１または２に記載の生産管理装置であって、
前記揮発情報には、前記原料の保管に関する揮発の程度と、前記原料の工程での使用に関する揮発の程度と、が含まれており、
前記揮発特定部は、前記原料と、前記原料の使用量と、前記保管に関する揮発の程度と、前記工程での使用の関する揮発の程度と、を用いて前記原料ごとの所要量を特定する、
ことを特徴とする生産管理装置。
【請求項４】
請求項１〜３のいずれか一項に記載の生産管理装置であって、
前記揮発の程度は揮発状態を係数によりあらわされ、
前記所要量算出部は、前記使用量と係数とを所定の式に当てはめて所要量を算出する、
ことを特徴とする生産管理装置。
【請求項５】
請求項１〜４のいずれか一項に記載の生産管理装置であって、
前記揮発情報においては、前記原料について所定の利用条件ごとに前記揮発の程度が対応付けられており、
前記利用条件に係る情報を取得する利用情報取得部を備え、
前記揮発特定部は、前記原料毎の所要量を特定する処理において前記利用条件に係る情報を用いて前記揮発の程度を特定する、
ことを特徴とする生産管理装置。
【請求項６】
請求項５に記載の生産管理装置であって、
前記利用条件には、季節に応じて変動する情報が含まれる、
ことを特徴とする生産管理装置。
【請求項７】
請求項６に記載の生産管理装置であって、
前記利用条件には、気温と、湿度と、の少なくともいずれか一つが含まれる、
ことを特徴とする生産管理装置。
【請求項８】
コンピューターに、生産の管理手順を実行させるプログラムであって、
前記コンピューターを、原料について揮発の程度が対応付けられた揮発情報と、製品を製造するのに必要な原料と当該原料の使用量とが対応づけられた原料情報と、を格納する記憶手段および制御手段として機能させ、
前記制御手段に対して、
製造する製品および当該製品の製造数量の指定入力を受け付ける入力受付ステップと、
前記製造する製品の原料が前記原料情報に応じて特定されると、前記特定された原料の揮発の程度を前記揮発情報を用いて特定する揮発特定ステップと、
前記原料と、前記原料の使用量と、前記揮発の程度と、を用いて前記原料ごとの所要量を特定する所要量算出ステップと、
前記所要量が所定の在庫量を上回る原料について前記原料を手配する手配量を特定する手配量算出ステップと、
を実行させることを特徴とするプログラム。
【請求項９】
コンピューターを用いた生産管理方法であって、
前記コンピューターは、
原料について揮発の程度が対応付けられた揮発情報と、製品を製造するのに必要な原料と当該原料の使用量とが対応づけられた原料情報と、を格納する記憶部と、制御部と、を備え、
前記制御部に対して、
製造する製品および当該製品の製造数量の指定入力を受け付ける入力受付ステップと、
前記製造する製品の原料が前記原料情報に応じて特定されると、前記特定された原料の揮発の程度を前記揮発情報を用いて特定する揮発特定ステップと、
前記原料と、前記原料の使用量と、前記揮発の程度と、を用いて前記原料ごとの所要量を特定する所要量算出ステップと、
前記所要量が所定の在庫量を上回る原料について前記原料を手配する手配量を特定する手配量算出ステップと、
を実施することを特徴とする生産管理方法。
【発明の詳細な説明】
【技術分野】
【０００１】
本発明は、生産管理に関するものである。
【背景技術】
【０００２】
従来、総需要量の季節変動と売れ筋機種の変化に即応できる部品生産計画を実現するために、データの入出力表示と演算処理機能を有するデータ入出力装置と、需要予測データと部品在庫情報と部品生産工程の生産状況及び仕込み戦略知識に基づき、部品の仕込み戦略を決定する仕込み戦略決定装置と、部品の仕込み戦略知識を有する仕込み戦略知識ベースと、部品生産工程の生産状況を予測し、生産能力調整を行なう生産能力調整装置と、製品の生産計画と仕込み戦略及び生産能力調整結果に基づき部品の生産計画を立案、修正する部品生産計画立案装置と、部品及びライン情報を含む生産管理情報を記憶するデータ記憶装置に関する技術がある。特許文献１には、このような技術について記載されている。
【先行技術文献】
【特許文献】
【０００３】
【特許文献１】特開平６−０９６０８９号公報
【発明の概要】
【発明が解決しようとする課題】
【０００４】
上記技術は、需要については季節変動が考慮されているが、季節に応じた温度変動等により揮発量が変化する原料等の使用を考慮した生産管理に関しては特段考慮されていないため、長期在庫による在庫量の目減りにより原料が不足してしまうおそれがある。
【０００５】
本発明の目的は、揮発を考慮した生産管理の技術を提供することにある。
【課題を解決するための手段】
【０００６】
本願は、上記課題の少なくとも一部を解決する手段を複数含んでいるが、その例を挙げるならば、以下のとおりである。上記課題を解決すべく、本発明に係る生産管理装置は、原料について揮発の程度が対応付けられた揮発情報と、製品を製造するのに必要な原料と当該原料の使用量とが対応づけられた原料情報と、を格納する記憶部と、製造する製品および当該製品の製造数量の指定入力を受け付ける入力受付部と、製造する製品の原料が原料情報に応じて特定されると、特定された原料の揮発の程度を揮発情報を用いて特定する揮発特定部と、原料と、原料の使用量と、揮発の程度と、を用いて原料ごとの所要量を特定する所要量算出部と、所要量が所定の在庫量を上回る原料について原料を手配する手配量を特定する手配量算出部と、を備えることを特徴とする。
【０００７】
また、上記の生産管理装置においては、上記原料情報には、上記原料の液体の種類を特定する情報が含まれ、上記揮発情報には、上記液体の種類に応じた揮発の程度が対応付けられており、上記揮発特定部は、上記特定された原料の液体の種類に応じ、上記揮発の程度を特定する、ことを特徴とするものであってもよい。
【０００８】
また、上記の生産管理装置においては、上記揮発情報には、上記原料の保管に関する揮発の程度と、上記原料の工程での使用に関する揮発の程度と、が含まれており、上記揮発特定部は、上記原料と、上記原料の使用量と、上記保管に関する揮発の程度と、上記工程での使用の関する揮発の程度と、を用いて上記原料ごとの所要量を特定する、ことを特徴とするものであってもよい。
【０００９】
また、上記の生産管理装置においては、上記揮発の程度は揮発状態を係数によりあらわされ、上記所要量算出部は、上記使用量と係数とを所定の式に当てはめて所要量を算出する、ことを特徴とするものであってもよい。
【００１０】
また、上記の生産管理装置においては、上記揮発情報においては、上記原料について所定の利用条件ごとに上記揮発の程度が対応付けられており、上記利用条件に係る情報を取得する利用情報取得部を備え、上記揮発特定部は、上記原料毎の所要量を特定する処理において上記利用条件に係る情報を用いて上記揮発の程度を特定する、ことを特徴とするものであってもよい。
【００１１】
また、上記の生産管理装置においては、上記利用条件には、季節に応じて変動する情報が含まれる、ことを特徴とするものであってもよい。
【００１２】
また、上記の生産管理装置においては、上記利用条件には、気温と、湿度と、の少なくともいずれか一つが含まれる、ことを特徴とするものであってもよい。
【００１３】
また、本発明に係るプログラムは、コンピューターに、生産の管理手順を実行させるプログラムであって、上記コンピューターを、原料について揮発の程度が対応付けられた揮発情報と、製品を製造するのに必要な原料と当該原料の使用量とが対応づけられた原料情報と、を格納する記憶手段および制御手段として機能させ、上記制御手段に対して、製造する製品および当該製品の製造数量の指定入力を受け付ける入力受付ステップと、上記製造する製品の原料が上記原料情報に応じて特定されると、上記特定された原料の揮発の程度を上記揮発情報を用いて特定する揮発特定ステップと、上記原料と、上記原料の使用量と、上記揮発の程度と、を用いて上記原料ごとの所要量を特定する所要量算出ステップと、上記所要量が所定の在庫量を上回る原料について上記原料を手配する手配量を特定する手配量算出ステップと、を実行させることを特徴とする。
【００１４】
また、本発明に係る生産管理方法は、コンピューターを用いた生産管理方法であって、上記コンピューターは、原料について揮発の程度が対応付けられた揮発情報と、製品を製造するのに必要な原料と当該原料の使用量とが対応づけられた原料情報と、を格納する記憶部と、制御部と、を備え、上記制御部に対して、製造する製品および当該製品の製造数量の指定入力を受け付ける入力受付ステップと、上記製造する製品の原料が上記原料情報に応じて特定されると、上記特定された原料の揮発の程度を上記揮発情報を用いて特定する揮発特定ステップと、上記原料と、上記原料の使用量と、上記揮発の程度と、を用いて上記原料ごとの所要量を特定する所要量算出ステップと、上記所要量が所定の在庫量を上回る原料について上記原料を手配する手配量を特定する手配量算出ステップと、を実施することを特徴とする。
【００１５】
上記した以外の課題、構成および効果は、以下の実施形態の説明により明らかにされる。
【発明の効果】
【００１６】
本発明によると、揮発を考慮した生産管理の技術を提供することができる。
【図面の簡単な説明】
【００１７】
【図１】本発明の実施形態に係る生産管理システムの構成例を示す図である。
【図２】生産指示情報記憶部に格納されるデータ構造を示す図である。
【図３】部品表記憶部に格納されるデータ構造を示す図である。
【図４】揮発係数情報記憶部に格納されるデータ構造を示す図である。
【図５】所要量記憶部に格納されるデータ構造を示す図である。
【図６】在庫情報記憶部に格納されるデータ構造を示す図である。
【図７】手配情報記憶部に格納されるデータ構造を示す図である。
【図８】生産管理装置のハードウェア構成を示す図である。
【図９】手配情報作成処理のフローを示す図である。
【図１０】手配情報作成処理において出力される画面の一例を示す図である。
【発明を実施するための形態】
【００１８】
以下に、本発明に係る第一の実施形態を適用した生産管理システム１を用いた実施形態について、図面を参照して説明する。
【００１９】
図１は、本発明の第一の実施形態における生産管理システム１の実施例を示す図である。本実施形態において想定する生産管理システム１においては、生産管理装置１００と、生産管理装置１００とネットワーク１０を介して通信可能に接続される操作端末３００と、が含まれる。
【００２０】
当該システムにおいては、生産管理の担当者が操作端末３００を介して手配情報を作成する旨の指示を生産管理装置１００へ送信すると、生産管理装置１００は生産指示と在庫量と揮発情報と、を用いて手配情報を作成する。
【００２１】
そして、担当者は、作成された手配情報を用いて生産指示により指示された品目の生産に必要な部品や原料の在庫の手配を行う。当該手配のための情報には、部品や原料について、揮発を考慮した手配量が含まれる。そのため、長期在庫による揮発等の在庫量の目減りにより原料が不足してしまうおそれを避けることができる。
【００２２】
生産管理装置１００は、パソコンやスマートフォン、ワークステーション、サーバー、ＰＤＡ（Ｐｅｒｓｏｎａｌ  Ｄａｔａ  Ａｓｓｉｓｔａｎｔ）、タブレット装置等各種の情報処理装置である。
【００２３】
ネットワーク１０は、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等の通信網である。なお、携帯電話通信網等の無線通信網上のＶＰＮ（Ｖｉｒｔｕａｌ  Ｐｒｉｖａｔｅ  Ｎｅｔｗｏｒｋ）等であってもよい。
【００２４】
操作端末３００は、パソコンやサーバー等の情報処理装置である。ほかにも例えば、操作端末３００は、スマートフォン、ワークステーション、ＰＤＡ等各種の情報処理装置であってもよい。
【００２５】
生産管理装置１００には、制御部１１０と、記憶部１２０と、通信部１３０と、が含まれる。制御部１１０には、入力受付部１１１と、総合在庫量算出部１１２と、所要量算出部１１３と、手配量算出部１１４と、揮発係数特定部１１５と、利用情報取得部１１６と、が含まれる。記憶部１２０には、生産指示情報記憶部１２１と、部品表記憶部１２２と、揮発係数情報記憶部１２３と、所要量記憶部１２４と、在庫情報記憶部１２５と、手配情報記憶部１２６と、が含まれる。
【００２６】
図２は、生産指示情報記憶部１２１のデータ構造の例が記載されている。生産指示情報記憶部１２１には、生産指示識別子１２１Ａごとに、品目コード１２１Ｂと、生産指示数量１２１Ｃと、が含まれる。すなわち、生産指示情報記憶部１２１には、製造する製品および当該製品の製造数量の指定が含まれる。
【００２７】
図３は、部品表記憶部１２２のデータ構造の例が記載されている。部品表記憶部１２２には、品目コード１２２Ａごとに、構成品目コード１２２Ｂと、品目構成量１２２Ｃと、液体種類１２２Ｄと、が含まれる。品目コード１２２Ａは、部品により構成される製品あるいは部品そのものを特定する識別情報である。構成品目コード１２２Ｂは、品目コード１２２Ａにより特定される部品あるいは製品を構成する子部品または子部品を構成する部品あるいはそれらの部品製造に要する原料を特定する情報である。品目構成量１２２Ｃは、構成品目コード１２２Ｂにより特定される製品あるいは部品が含まれる量を特定する情報である。液体種類１２２Ｄは、構成品目コード１２２Ｂにより特定される製品あるいは部品が液体である場合に、液体（個体から気化する一部の原料については個体を含む。以下において「液体」と記述する場合にも同様。）の種類を特定する情報である。
【００２８】
すなわち、部品表記憶部１２２には、製品を製造するのに必要な原料と、当該原料の使用量とが対応づけられている原料情報が含まれるものであるといえる。
【００２９】
図４は、揮発係数情報記憶部１２３のデータ構造の例が記載されている。揮発係数情報記憶部１２３には、液体種類１２３Ａごとに、気温１２３Ｂと、湿度１２３Ｃと、気圧１２３Ｄと、外気接触面積１２３Ｅと、保管／工程コード１２３Ｆと、経過時間１２３Ｇと、揮発係数１２３Ｈと、が含まれる。
【００３０】
液体種類１２３Ａは、液体の種類（又は個体の種類）を特定する情報である。例えば、水、アルコール、ナフタレン等の種類である。気温１２３Ｂ、湿度１２３Ｃ、気圧１２３Ｄ、外気接触面積１２３Ｅ、保管／工程コード１２３Ｆ、経過時間１２３Ｇは、それぞれ液体が利用される条件を示す情報であり、これらの組み合わせにより揮発係数１２３Ｈが対応付けられている。つまり、揮発係数情報においては、原料について所定の利用条件ごとに揮発の程度が対応付けられているといえる。また、その利用条件には、季節に応じて変動する気温、湿度、気圧等の情報が含まれる。
【００３１】
なお、保管／工程コード１２３Ｆは、保管又は使用される工程を特定する情報であり、経過時間１２３Ｇは、保管開始からの経過時間である。すなわち、保管や運搬、製造における他と区別しうる環境もしくは状態における処理を含む原料の状態での使用時の温度等に応じ、またその期間に応じ、揮発係数１２３Ｈは互いに異なる係数が割り当てられる。
【００３２】
揮発係数１２３Ｈは、保管／工程コード１２３Ｆが保管を示すものである場合には保管に関する揮発の程度を示す係数であり、保管／工程コード１２３Ｆが工程を示すものである場合には工程での使用に関する揮発の程度を示す係数である。ここで、本実施形態においては、揮発係数１２３Ｈは、０ないし１の値で表される。揮発係数１２３Ｈが０である場合には、揮発が発生していない状態を示し、揮発係数１２３Ｈが１である場合には、揮発により無くなっている状態を示す。すなわち、揮発係数１２３Ｈは、初期状態に対して揮発した原料の液体の体積または重さを示す情報であるといえる。
【００３３】
図５は、所要量記憶部１２４のデータ構造の例が記載されている。所要量記憶部１２４には、生産指示識別子１２４Ａごとに、構成品目コード１２４Ｂと、所要量１２４Ｃと、が含まれる。すなわち、所要量記憶部１２４には、製造する製品および当該製品の製造数量の指定に応じて必要となる部品および原料と、当該部品または原料ごとの所要量の情報が含まれる。なお、所要量は、使用量に留まらず、季節変動等による揮発量の変化が反映された量である。
【００３４】
図６は、在庫情報記憶部１２５のデータ構造の例が記載されている。在庫情報記憶部１２５には、在庫を有する倉庫を識別する倉庫識別子１２５Ａごとに、品目コード１２５Ｂと、実在庫量１２５Ｃと、出庫予定量１２５Ｄと、入庫予定量１２５Ｅと、が対応付けられて格納される。
【００３５】
品目コード１２５Ｂは、部品あるいは原料を特定するコードである。実在庫量１２５Ｃは、品目コード１２５Ｂにより特定される部品あるいは原料が、倉庫識別子１２５Ａにより識別される倉庫に実際に存在する量を特定する情報である。出庫予定量１２５Ｄは、品目コード１２５Ｂにより特定される部品あるいは原料が、倉庫識別子１２５Ａにより識別される倉庫から出庫されることが予定されている量を特定する情報である。入庫予定量１２５Ｅは、品目コード１２５Ｂにより特定される部品あるいは原料が、倉庫識別子１２５Ａにより識別される倉庫へ入庫されることが予定されている量を特定する情報である。
【００３６】
図７は、手配情報記憶部１２６のデータ構造の例が記載されている。手配情報記憶部１２６には、手配識別子１２６Ａごとに、品目コード１２６Ｂと、手配量１２６Ｃと、が対応付けられて格納される。手配識別子１２６Ａは、生産指示に対応付けられた手配を特定する情報である。品目コード１２６Ｂは、部品あるいは原料を特定するコードである。手配量１２６Ｃは、品目コード１２６Ｂにより特定される部品あるいは原料を発注する等、入手するための手続きにおいて当該部品あるいは原料の量を特定する情報である。
【００３７】
図１の説明に戻る。制御部１１０の入力受付部１１１は、生産指示等の入力を受け付ける処理部である。総合在庫量算出部１１２は、生産指示等を受けた品目に関して、総合在庫量を算出する。所要量算出部１１３は、生産指示等を受けた品目に関して、所要量を算出する。所要量を算出する処理においては、所要量算出部１１３は、品目についての使用量と、揮発係数と、を所定の式に当てはめて所要量を算出する。
【００３８】
手配量算出部１１４は、所要量と、総合在庫および安全在庫に基づいて、実際に発注等の手配を行う量を算出する。揮発係数特定部１１５は、揮発係数情報記憶部１２３を参照して、利用条件に合致する揮発係数を特定する。利用情報取得部１１６は、揮発に関連する季節変動する情報等を取得して、揮発係数特定部１１５が揮発係数を特定する際の利用条件の実データを提供する。
【００３９】
通信部１３０は、ネットワーク１０を介して他の装置、例えば操作端末３００との通信を行う。
【００４０】
操作端末３００には、制御部３１０と、入力部３２１と、出力部３２２と、通信部３３０と、が含まれる。制御部３１０には、通信部３３０を介して他の装置と通信を行うブラウザ部３１１が含まれる。ブラウザ部３１１は、ＨＴＴＰ（ＨｙｐｅｒＴｅｘｔ  Ｔｒａｎｓｆｅｒ  Ｐｒｏｔｏｃｏｌ）等の方式で他の装置と通信し、ＨＴＭＬ（ＨｙｐｅｒＴｅｘｔ  Ｍａｒｋｕｐ  Ｌａｎｇｕａｇｅ）等で記述されるＷｅｂページを表示し、関連する制御を行う、いわゆるウェブブラウザである。
【００４１】
入力部３２１は、入力を受け付ける。出力部３２２は、画面や音声等により出力を行う。
【００４２】
通信部３３０は、ネットワーク１０を介して他の装置、例えば生産管理装置１００との通信を行う。
【００４３】
図８は、生産管理装置１００のハードウェア構成例を示す図である。生産管理装置１００は、演算装置１０２と、外部記憶装置１０３と、主記憶装置１０４と、出力装置１０５と、通信装置１０６と、各装置をつなぐバス１０７と、を少なくとも備える。また、他に、生産管理装置１００は、キーボード、マウス、あるいはタッチパネルといった入力装置１０１を備える。
【００４４】
演算装置１０２は、例えばＣＰＵ（Ｃｅｎｔｒａｌ  Ｐｒｏｃｅｓｓｉｎｇ  Ｕｎｉｔ）などの演算装置である。
【００４５】
外部記憶装置１０３は、デジタル情報を記憶可能な、いわゆるハードディスク（Ｈａｒｄ  Ｄｉｓｋ  Ｄｒｉｖｅ）やＳＳＤ（Ｓｏｌｉｄ  Ｓｔａｔｅ  Ｄｒｉｖｅ）あるいはフラッシュメモリなどの不揮発性記憶装置である。
【００４６】
主記憶装置１０４は、例えばＲＡＭ（Ｒａｎｄｏｍ  Ａｃｃｅｓｓ  Ｍｅｍｏｒｙ）などのメモリ装置である。
【００４７】
出力装置１０５は、例えば液晶ディスプレイや、有機ＥＬ（Ｅｌｅｃｔｒｏ  Ｌｕｍｉｎｅｓｃｅｎｃｅ）ディスプレイ等の表示装置である。
【００４８】
通信装置１０６は、ネットワーク１０等を介して操作端末３００等の他の装置と通信経路を確立し、情報を送受信するネットワークカード等の装置である。
【００４９】
入力装置１０１は、キーボードやマウス、タッチパネル等の各種入力装置である。
【００５０】
入力装置１０１と、演算装置１０２と、外部記憶装置１０３と、主記憶装置１０４と、出力装置１０５と、通信装置１０６とは、バス１０７等の接続導線により互いに接続される。
【００５１】
上記した生産管理装置１００の入力受付部１１１、総合在庫量算出部１１２、所要量算出部１１３、手配量算出部１１４、揮発係数特定部１１５、利用情報取得部１１６は、演算装置１０２に処理を行わせるプログラムによって実現される。このプログラムは、主記憶装置１０４、外部記憶装置１０３または図示しないＲＯＭ装置内に記憶され、実行にあたって主記憶装置１０４上にロードされ、演算装置１０２により実行される。
【００５２】
また、生産管理装置１００の記憶部１２０は、主記憶装置１０４及び外部記憶装置１０３により実現される。また、生産管理装置１００の通信部１３０は、通信装置１０６により実現される。以上が、生産管理装置１００のハードウェア構成例である。
【００５３】
操作端末３００についても、図８と略同様のハードウェア構成を備えるため、説明を省略する。
【００５４】
なお、操作端末３００についてのブラウザ部３１１は、操作端末３００の演算装置１０２に処理を行わせるプログラムによって実現される。このプログラムは、主記憶装置１０４、外部記憶装置１０３または図示しないＲＯＭ装置内に記憶され、実行にあたって主記憶装置１０４上にロードされ、演算装置１０２により実行される。
【００５５】
なお、上記した各構成要素は、生産管理装置１００、操作端末３００の構成を、理解を容易にするために、主な処理内容に応じて分類したものである。そのため、構成要素の分類の仕方やその名称によって、本願発明が制限されることはない。
【００５６】
また、生産管理装置１００と、操作端末３００との間では、制御部１１０および記憶部１２０の担う機能が異なるものであってもよい。例えば、生産管理装置１００の記憶部１２０に含まれる生産指示情報記憶部１２１ないし手配情報記憶部１２６の全てあるいは一部は、ネットワーク１０を介して操作端末３００上に配置され生産管理装置１００からアクセスされるものであってもよい。または、制御部１１０に含まれる入力受付部１１１ないし利用情報取得部１１６のいずれかまたは全てが、操作端末３００の制御部３１０に設けられるものであってもよい。生産管理装置１００、操作端末３００の構成は、処理内容に応じて、さらに多くの構成要素に分類することもできる。また、１つの構成要素がさらに多くの処理を実行するように分類することもできる。
【００５７】
また、各制御部は、ハードウェア（ＡＳＩＣ、ＧＰＵなど）により構築されてもよい。また、各制御部の処理が一つのハードウェアで実行されてもよいし、複数のハードウェアで実行されてもよい。
【００５８】
[動作の説明]次に、本実施形態における生産管理装置１００と、操作端末３００と、の動作を説明する。図９は、本実施形態における手配情報作成処理のフロー図である。
【００５９】
手配情報作成処理は、生産管理装置１００が稼動を開始され、操作端末３００からの手配情報作成に関する処理依頼を受け付けると、開始される。
【００６０】
まず、利用情報取得部１１６は、気温、湿度、気圧に係る計測情報を取得する（ステップＳ００１）。具体的には、利用情報取得部１１６は、倉庫識別子の入力を受け付けて、受け付けた倉庫識別子で識別される倉庫に関する気温、湿度、気圧を含む季節変動のある計測情報のうち、原料等を実際に利用する時期に応じて、記憶部の図示しない所定の記憶領域から取得する。
【００６１】
そして、入力受付部１１１は、生産指示、部品表を用いて原料毎の使用量を特定する（ステップＳ００２）。具体的には、入力受付部１１１は、生産指示情報記憶部１２１を読み出して、未実施の生産指示について、生産する品目とその数量を品目コード１２１Ｂおよび生産指示数量１２１Ｃを参照して特定する。そして、入力受付部１１１は、部品表記憶部１２２を参照し、生産する品目の品目コードに一致する品目コード１２２Ａを特定し、対応付けられた構成品目コード１２２Ｂ、品目構成量１２２Ｃ、液体種類１２２Ｄを読み出す。そして、入力受付部１１１は、構成品目コード１２２Ｂごとに、品目構成量１２２Ｃと生産指示数量１２１Ｃとを積算した結果を使用量として特定する。
【００６２】
そして、揮発係数特定部１１５は、気温、湿度、気圧、外気接触面積、経過時間の情報を用いて、保管での揮発係数、工程での揮発係数の情報を特定する（ステップＳ００３）。具体的には、揮発係数特定部１１５は、原料毎に、液体種類に応じてステップＳ００１において取得した計測情報のうち気温、湿度、気圧、外気接触面積、経過時間のいずれかまたは複数を用いて揮発係数を特定する。その際、揮発係数特定部１１５は、揮発係数情報記憶部１２３を参照して揮発係数１２３Ｈを特定して読み出す。なお、揮発係数特定部１１５は、保管／工程コード１２３Ｆの保管を示すコードと、工程を示すコードごとに揮発係数１２３Ｈを特定する。
【００６３】
そして、所要量算出部１１３は、構成品目ごとに揮発を計算に入れて所要量を算出し、確認画面を出力する（ステップＳ００４）。具体的には、所要量算出部１１３は、所要量を、以下の式（１）により算出する。
【００６４】
所要量＝生産する品目の数量＊構成品目の数量＊（１／（１−保管での揮発係数）＊（１−製造での揮発係数））・・・式（１）
【００６５】
そして、所要量算出部１１３は、算出した品目ごとの所要量について、図１０等に示すような所要量を確認する画面を作成し、所要量確認画面に対する承認を一定数以上受け付けると、所要量を確定し、所要量記憶部１２４を更新する。なお、図１０に示す指示所要量表示領域６３０には、製造および保管における揮発を考慮しない使用量を示す領域であり、生産する品目の数量と構成品目の数量の積が表示される。また、揮発想定修正所要量表示領域６２０には、上記式（１）により算出される揮発が考慮された所要量が表示される。
【００６６】
そして、総合在庫量算出部１１２は、構成品目ごとに総合在庫量を算出する（ステップＳ００５）。具体的には、総合在庫量算出部１１２は、ステップＳ００２にて特定した原料となる構成品目ごとに、下式（２）を適用して総合在庫量を算出する。
【００６７】
総合在庫量＝現在庫量−出庫予定量＋入庫予定量・・・式（２）
【００６８】
そして、手配量算出部１１４は、総合在庫量を算出した構成品目のうち、（総合在庫量＋安全在庫量）を所要量が超過する品目があるか否か、を判定する（Ｓ００６）。所要量が超過する品目が無ければ、手配量算出部１１４は、ステップＳ００８へ制御を進める。
【００６９】
総合在庫量を算出した構成品目のうち、（総合在庫量＋安全在庫量）を所要量が超過する品目がある場合（ステップＳ００６にて「Ｙｅｓ」の場合）には、手配量算出部１１４は、超過する品目について手配量を算出し、手配情報を作成する（ステップＳ００７）。具体的には、手配量算出部１１４は、下式（３）を用いて、手配量を算出する。
【００７０】
手配量＝所要量−総合在庫量＋安全在庫量・・・式（３）
【００７１】
なお、安全在庫量とは、所定量の余剰在庫であり、例えば不測の事態に備える意味で所定の基準に従って定められた在庫量である。そして、総合在庫量算出部１１２は、手配量に基づき、在庫情報記憶部１２５の入庫予定量１２５Ｅを更新する。
【００７２】
以上が、手配情報作成処理の処理フローである。手配情報作成処理を実行することで、原料の揮発を考慮した生産管理を実現することができる。
【００７３】
図１０は、本実施形態における手配情報作成処理のステップＳ００４において出力される所要量確認画面の表示の例である所要量確認画面６００を示す図である。所要量確認画面６００は、ブラウザ部３１１が生産管理装置１００からＨＴＭＬ等のページとして受信され、操作端末３００が備える出力部３２２において表示される。
【００７４】
所要量確認画面６００には、品目表示領域６１０と、揮発想定修正所要量表示領域６２０と、指示所要量表示領域６３０と、手配情報作成処理をキャンセルして終了させる指示を受け付けるキャンセルボタン６４０と、所要量確認画面において表示された内容に承認を与える指示を受け付ける承認ボタン６５０と、が含まれる。品目表示領域６１０には、たとえば、品目として原料等の構成品が羅列され、揮発想定修正所要量表示領域６２０には、当該品目の揮発を想定して使用量に修正を加えた所要量が表示される。また、指示所要量表示領域６３０には、揮発を考慮しない場合の使用量に基づく所要量が表示される。
【００７５】
以上が、所要量確認画面６００の出力画面例である。
【００７６】
以上、本発明に係る第一の実施形態を適用した生産管理システム１について説明した。当該実施形態によると、利用者は、原料が揮発しやすい原料、例えばアルコールやオイル等の液体、気体等である場合にも、保管状態や保管環境、季節の状況等により揮発量が変動することを想定して手配することができるため、部品の欠品を避けて生産効率を高く維持することができる。
【００７７】
本発明は、上記の第一の実施形態に制限されない。上記の第一の実施形態は、本発明の技術的思想の範囲内で様々な変形が可能である。例えば、上記の第一の実施形態においては、生産管理装置１００は手配情報作成処理のステップＳ００３において、計測情報を記憶部１２０から読み出しているが、これに限られない。例えば、生産設備が配置されている温度環境等をコントロールする制御システムが存在する場合には、利用情報取得部１１６は、当該制御システムから必要な期間の情報を取得するようにしてもよい。
【００７８】
また、上記した実施形態の技術的要素は、単独で適用されてもよいし、プログラム部品とハードウェア部品のような複数の部分に分けられて適用されるようにしてもよい。
【００７９】
以上、本発明について、実施形態を中心に説明した。
【符号の説明】
【００８０】
１・・・生産管理システム、１０・・・ネットワーク、１００・・・生産管理装置、１１０・・・制御部、１１１・・・入力受付部、１１２・・・総合在庫量算出部、１１３・・・所要量算出部、１１４・・・手配量算出部、１１５・・・揮発係数特定部、１１６・・・利用情報取得部、１２０・・・記憶部、１２１・・・生産指示情報記憶部、１２２・・・部品表記憶部、１２３・・・揮発係数情報記憶部、１２４・・・所要量記憶部、１２５・・在庫情報記憶部、１２６・・・手配情報記憶部、１３０・・・通信部、３００・・・操作端末、３１０・・・制御部、３１１・・・ブラウザ部、３２１・・・入力部、３２２・・・出力部、３３０・・・通信部
【図１】
2015052869.tif 000003
【図２】
2015052869.tif 000004
【図３】
2015052869.tif 000005
【図４】
2015052869.tif 000006
【図５】
2015052869.tif 000007
【図６】
2015052869.tif 000008
【図７】
2015052869.tif 000009
【図８】
2015052869.tif 000010
【図９】
2015052869.tif 000011
【図１０】
2015052869.tif 000012